(57)【特許請求の範囲】
【請求項１】
所定領域に対する移動体を利用した入退場を管理する入退場管理システムであって、
前記移動体の利用者の利用する利用者タグから当該利用者を識別する個人タグＩＤを読取るリーダ装置であって、前記移動体で利用されるリーダ装置と、
前記リーダ装置と接続され、読み取られた前記個人タグＩＤと、前記移動体を識別する移動体ＩＤを記憶する端末装置と、
前記移動体が前記所定領域に入退場する入退場位置に設置された受信装置であって、当該入退場位置を前記移動体が移動する際に前記移動体ＩＤを受信し、前記移動体ＩＤと対応付けて当該移動体ＩＤの受信時刻を記録する第１の受信装置と、
前記所定領域内の前記利用者を乗車および降車の少なくともいずれか一方を行う乗降車位置に設置された受信装置であって、前記移動体が前記乗降車位置に到着した際、当該移動体の移動体ＩＤおよび当該移動体ＩＤに対応付けて記憶された前記個人タグＩＤを受信する第２の受信装置と、
前記第１および第２の受信装置と接続され、前記第１の受信装置で記録した受信時刻と前記第２の受信装置で受信した個人タグＩＤのうち、前記移動体ＩＤが共通する受信時刻と個人タグＩＤを対応付けて記憶する管理サーバとを有することで、
前記利用者の前記所定領域に対する入場時間および退場時間のうち少なくとも一方を管理することを特徴とする入退場管理システム。
【請求項２】
請求項１に記載の入退場管理システムにおいて、
前記第２の受信装置は、前記乗車位置に設けられた乗車位置受信装置および前記降車位置に設けられた降車位置受信装置からなり、
前記管理サーバは、前記乗車位置受信装置から受信した前記個人タグＩＤの利用者については、前記所定領域からの退場と記憶し、前記降車位置受信装置から受信した前記個人タグＩＤの利用者については、前記所定領域への入場と記憶することを特徴とする入退場管理システム。
【請求項３】
請求項２に記載の入退場管理システムにおいて、
前記乗車位置受信装置は、前記移動体ＩＤおよび前記個人タグＩＤと（１）当該受信装置が乗車位置受信装置であることを示す情報もしくは（２）前記移動体ＩＤの移動体および／または前記個人タグＩＤの利用者が退場することを示す情報を、前記管理サーバに送信し、
前記降車位置受信装置は、前記移動体ＩＤおよび前記個人タグＩＤと（１）当該受信装置が降車位置受信装置であることを示す情報もしくは（２）前記移動体ＩＤの移動体および／または前記個人タグＩＤの利用者が入場することを示す情報を、前記管理サーバに送信する
ことを特徴とする入退場管理システム。
【請求項４】
請求項１に記載の入退場管理システムにおいて、
前記管理サーバは、
前記第１の受信装置から前記受信時刻および前記移動体ＩＤを受付け、前記第２の受信装置から前記個人タグＩＤおよび前記移動体ＩＤと当該個人タグＩＤおよび当該移動体ＩＤの受信時刻を受付け、
前記第１の受信装置からの受信時刻と前記第２の受信装置からの受信時刻を比較し、
当該比較の結果、前記第１の受信装置からの受信時刻の方が早い場合、前記個人タグＩＤの利用者については入場と記憶し、前記第２の受信装置からの受信時刻の方が早い場合、前記個人タグＩＤの利用者については退場と記憶することを特徴とする入退場管理システム。
【請求項５】
請求項１乃至４のいずれかに記載の入退場管理システムにおいて、
前記リーダ装置は、前記移動体ＩＤを格納した移動体タグから当該移動体ＩＤを読取り、
前記第１の受信装置は、前記移動体タグから前記移動体ＩＤを読み取ることを特徴とする入退場管理システム。
【請求項６】
請求項１乃至４のいずれかに記載の入退場管理システムにおいて、
前記端末装置は、読み取られた前記個人タグＩＤと、前記移動体を識別する移動体ＩＤを対応付けて記憶し、
前記第２の受信装置は、前記移動体ＩＤを格納した移動体タグから当該移動体ＩＤを読取り、前記端末装置から読み取られた前記移動体ＩＤに対応付けて記憶された前記個人タグＩＤを受信することを特徴とする入退場管理システム。
【発明の詳細な説明】
【技術分野】
【０００１】
本発明は、車両を含む移動体を利用して（含む搭乗）所定領域への入退場を管理するための技術に関する。その中でも特に、ＩＣカードやＩＣタグなどの記憶媒体や入退場門のように入退場の際に移動体が通過する箇所を利用しての入退場管理に関する。
【背景技術】
【０００２】
従来の車両を含む入退門管理では、入退門のゲート付近に守衛所を設け、守衛が入退門状況を目視にて監視する方法が多く用いられてきた。この方法では、人手による目視確認による入退門の管理漏れなどの問題があった。
【０００３】
このような問題を解決し、入門・退門する乗員や守衛の手間を省き、かつ関連する情報を自動的に収集・蓄積することで必要な情報を守衛等の管理者が確認できるようにすることを目的としたものとして、特許文献１がある。
【０００４】
特許文献１では、省力化のために、無線タグを用いて駐車場への入退(出)場を管理している。具体的には、車両の先端部に取り付けられ、受信した質問信号に応じて車両を識別するための識別コードを供給する無線タグ２と、駐車場の出入口に設けられ、車両の入退場を制限する遮断竿１３と、遮断竿１３の表面に設けられたアンテナ１２、質問信号をアンテナ１２を介して送信するとともに、無線タグ２から供給される識別コードを受信する質問器１４と、識別コードに基づいて遮断竿１３を駆動する制御部１５及び遮断竿駆動部１７とを有する駐車場管理装置１とを備えたシステムを提案している。
【０００５】
【特許文献１】特開２００５−２５８６６４
【発明の開示】
【発明が解決しようとする課題】
【０００６】
しかしながら、特許文献１においては、駐車場での入退場管理を対象としているためか、中に乗っている人間までの管理までは考慮されていなかった。入退場管理の場合、工場などへの制限領域のように入退場管理の場合、人(人間)までその入退場を管理することが要求される場合が多くある。
【０００７】
しかし、特許文献１では、人単位での入退門状況の把握、関連する情報の参照等が難しい状況であった。すなわち、車両等移動体に搭乗している乗員を車両の入門・出門時に自動的に把握し、場内への入門・出門（入場・退場）状況を管理することは困難であった。特に、車両に搭乗している乗員の入退門の手続きを簡素化・自動化し、入退場の管理を人手によらず自動で誰がいつ入場・退場したという情報を収集・蓄積し、管理者が入退門の状況を把握するための情報を提供する情報システムを提供することを課題である。
【０００８】
この課題に対して、車両内のタグ（搭乗者が身に着けている）を一括で読み取ることも考えられるが、読取り精度を確保することが非常に困難である。また、入退場箇所のゲート付近において、アンテナから数m離れたタグを読み取る場合、入門なのか退門なのか確実に区別することが難しい。
【０００９】
また、特許文献１以前の目視等での確認においては、門の付近で守衛が目視により入門証等を確認するという人手によるものが主流であった。そのため、入門証等の確認漏れが発生したり、車両に搭乗している乗員全員の入退門管理を行うことができなかった。また、車両が門を通過する時に、通過する乗員に関する情報をリアルタイムで参照することができなかった。人手による作業負荷や入退門の監視の限界、入門者・退門者に関連する情報の参照性といった点で課題があり、解決することが望まれている。
【００１０】
また、いわゆるETCとして、ゲート通過時に自動で車両を認識し、課金を行うシステムが活用されているが、車両単位の認識であり、車両内の人単位の認識ができる方式の実現が望まれている。
【課題を解決するための手段】
【００１１】
本発明は、無線タグ等を利用した車両内の乗員の入退門管理において、読み取り精度の問題を解決し、かつ入退場を行うことを目的とする
この目的を達成するために、本発明では、移動体の移動に関する状況に応じて、システム側で受信する(吸い上げる)情報（移動体ＩＤ、個人ＩＤ）を変更するものである。すなわち、移動体が通過する際のように比較的送受信できるデータ量が限定される場合には、移動体ＩＤを送受信し、移動体が停止する場合のように比較的送受信できるデータ量が限定されない場合に移動体ＩＤと個人ＩＤの両方を送受信し、これらのデータを連携させて各個人（利用者）の入退場状況を把握、管理可能にしている。
【００１２】
ここで、移動体ＩＤを送受信する場合とは、ゲートを含む入退場領域の移動を行う際に、その近傍もしくはその入退場領域に設けられた受信装置を介して受信を行うことが含まれる。また、この場合、受信装置での受信時刻もしくはこれに類する入退場時間に関連する時刻を合わせて記録もしくは受信するように構成してもよいし、入退場領域を通過したことを示す情報を受信する構成にしてもよい。さらに、この場合、タグの無線通信技術を用いて、移動体タグから情報を読み取ることが好適である。
【００１３】
また、移動体ＩＤと個人ＩＤを送受信する場合とは、所定領域内で利用者を乗降車(の少なくとも一方)をさせるバス停などのアクセスポイントで、無線ＬＡＮ技術を用いて情報を受信することが好適である。
【００１４】
より具体的には、所定領域に対する移動体を利用した入退場を管理する入退場管理システムであって、
前記利用者の利用する利用者タグから当該利用者を識別する個人タグＩＤを読取るリーダ装置であって、前記移動体で利用されるリーダ装置と、
前記リーダ装置と接続され、読み取られた前記個人ＩＤと、前記移動体を識別する車両ＩＤを記憶する端末装置と、
前記移動体が前記所定領域に入退場する入退場位置に設置された受信装置であって、当該入退場位置を前記移動体が移動する際に前記移動体ＩＤを受信し、前記移動体ＩＤと対応付けて当該移動体ＩＤの受信時刻を記録する第１の受信装置と、
前記所定領域内の前記利用者を乗車および降車の少なくともいずれか一方を行う乗降車位置に設置された受信装置であって、前記移動体が前記乗降車位置に到着した際、当該移動体の移動体ＩＤおよび当該移動体ＩＤに対応付けて記憶された前記個人ＩＤを受信する第２の受信装置と、
前記第１および第２の受信装置と接続され、前記第１の受信装置で記録した受信時刻と前記第２の受信装置で受信した個人ＩＤのうち、前記移動体ＩＤが共通する受信時刻と個人ＩＤを対応付けて記憶する管理サーバとを有することで、前記利用者の前記所定領域に対する入場時間および退場時間のうち少なくとも一方を管理するものである。
【００１５】
この入退場管理システムにおいて、
前記第２の受信装置は、前記乗車位置に設けられた乗車位置受信装置および前記降車位置に設けられた降車位置受信装置からなり、
前記管理サーバは、前記乗車位置受信装置から受信した前記個人ＩＤの利用者については、前記所定領域からの退場と記憶し、前記降車位置受信装置から受信した前記個人ＩＤの利用者については、前記所定領への入場と記憶するものも本発明に含まれる。すなわち、第２の受信装置として、乗車場か降車場のいずれに設置されたものかを区別して管理し、その管理情報に基づいて、入場もしくは退場のいずれかを判断する。
【００１６】
また、この入退場管理システムにおいて、
前記乗車位置受信装置は、前記移動体ＩＤおよび前記個人ＩＤと（１）当該受信装置が乗車位置受信装置であることを示す情報もしくは（２）前記移動体ＩＤの移動体および／または前記個人ＩＤの利用者が退場することを示す情報を、前記管理サーバに送信し、
前記降車位置受信装置は、前記移動体ＩＤおよび前記個人ＩＤと（１）当該受信装置が降車位置受信装置であることを示す情報もしくは（２）前記移動体ＩＤの移動体および／または前記個人ＩＤの利用者が入場することを示す情報を、前記管理サーバに送信するものも本発明に含まれる。
【００１７】
また、上記の入退場管理システムにおいて、
前記管理サーバは、
前記第１の受信装置から前記受信時刻および前記移動体ＩＤを受付け、前記第２の受信装置から前記個人ＩＤおよび前記移動体ＩＤと当該個人ＩＤおよび当該移動体ＩＤの受信時刻を受付け、
前記第１の受信装置からの受信時刻と前記第２の受信装置からの受信時刻を比較し、
当該比較の結果、前記第１の受信装置からの受信時刻の方が早い場合、前記個人ＩＤの利用者については入場と記憶し、前記第２の受信装置からの受信時刻の方が早い場合、前記個人ＩＤの利用者については退場と記憶するものも本発明に含まれる。この場合、第１の受信装置からの受信時刻、第２の受信装置からの受信時刻がそれぞれ複数ある場合、最も近接する受信時刻同士を比較すると好適である。この場合、受信時刻の他、通過や乗降場に関する時刻（第１、第２の受信装置が情報を受信した時刻やシステムに記憶される入場時間など）を用いてもよい。
【００１８】
また、これらの入退場管理システムにおいて、
前記リーダ装置は、前記移動体ＩＤを格納した移動体タグから当該移動体ＩＤを読取り、
前記第１の受信装置は、前記移動体タグから前記移動体ＩＤを読み取るものも本発明に含まれる。
【００１９】
また、これらの入退場管理システムにおいて、
前記端末装置は、読み取られた前記個人ＩＤと、前記移動体を識別する車両ＩＤを対応付けて記憶し、
前記第１の受信装置は、前記端末装置から対応付けて記憶された前記個人ＩＤと前記車両ＩＤを受信するものも本発明に含まれる。
【００２０】
また、これらの入退場管理システムにおいて、
前記第２の受信装置は、前記端末装置から前記個人ＩＤと前記車両ＩＤを受信するものも本発明に含まれる。
【００２１】
また、これらの入退場管理システムにおいて、
前記端末装置は、読み取られた前記個人ＩＤと、前記移動体を識別する車両ＩＤを対応付けて記憶し、
前記第２の受信装置は、前記移動体ＩＤを格納した移動体タグから当該移動体ＩＤを読取り、前記端末装置から読み取られた前記移動体ＩＤに対応付けて記憶された前記個人ＩＤを受信するものも本発明に含まれる。
【００２２】
さらに、本発明には、この入退場管理システムを用いた方法、それを実行するためのプログラムも含まれる。さらに、入退場管理システムを構成する各装置や各装置での処理方法およびそれを実行するためのプログラムも本発明に含まれる。
【発明の効果】
【００２３】
本発明によれば、より効率的に所定領域への移動体を利用した入退場の状況を把握可能になる。
【発明を実施するための最良の形態】
【００２４】
以下、本発明の実施の形態を図1から図19を用いて説明する。
図1は、本実施の形態の全体システム概要を示すものである。
本実施の形態における車両内の乗員の入退門管理システムは、バス等の大型乗用車104に搭乗した乗員の入退門管理を想定したものである。
【００２５】
個人タグ101や車両タグ102は、あらかじめタグ発行端末110で発行されており、管理サーバ111に個人タグIDをキーとした個人情報と車両タグIDをキーとした車両情報が格納される。
【００２６】
運転手の操作により、バス104に乗車する際にそのバス（車両）の車両タグ102を、車内に設置されている車載端末113に接続されたリーダ103で読み取り、そこに格納された車両タグＩＤを得る。これは、例えば運転手が車両タグ102を保持し、その日の乗車の際に読み取りを行う。
【００２７】
そして、乗員がバス等に乗車する際に個人に固有の個人タグ101を車載端末113に接続されたリーダ103にかざした場合、リーダ103が個人タグ101に格納された個人タグIDを読み取る。読み取られた車両タグ102および個人タグ101のタグID、すなわち、個人タグIDおよび車両タグIDを、車載端末113が蓄積される。なお、個人タグIDは、個人タグ101もしくはそれを利用する個人を識別するものである。また、車両タグIDも同様に車両タグ102もしくはその車両を識別するものである。なお、車両タグIDを予め車載端末103に格納しておいてもよい。
【００２８】
バスが入門もしくは退門の際、ゲートに備え付けられたリーダ106・アンテナ105により、車両タグ102から車両タグIDが読み取られる。読み取られた車両タグIDや読み取り時刻は、リーダ制御端末107を通して管理サーバ111に送信され、これらの情報が蓄積される。ここで、読み取り時刻としては、車両タグ１０２から発信した時刻、アンテナ１０５もしくはリーダ１０６が受信した時刻いずれでも構わない。また、車両タグ１０２から読み取るのでなく、車載端末113からの受信を、アンテナ105を介して受信するように構成してもよい。特に、車両タグ102を用いず、車載端末113に予め車両タグIDを格納している場合、このように制御するとよりよい。
【００２９】
車両が構内もしくは構外の所定の無線LANのエリア内に来た時に、車載端末113に蓄積された車両タグID、個人タグIDが管理サーバ111へ送信される。
管理サーバ111では、どこの無線LANアクセスポイント109から送信されたかにより、入門・退門フラグを設定し、ゲートの通過が入門であったか退門であったかを認識する。そして、車両タグIDに基づいて、個人タグIDと入門時刻（または退門時刻）を紐付ける。
管理サーバ111は、ネットワーク112経由で入退門状況参照端末108の要求に応じて、入退門の情報を提供する。車両の移動速度や無線LANの通信性能によっては、入門・退門ゲート通過時にリアルタイムでの情報提供を行うことも可能である。なお、ここまでの例は、入場の際の処理であり、退場の際は以下のように制御する。すなわち、駐車場内で個人タグID101をリーダ103が読取る。そして、運転者の操作を受付けた際、バスのドアが閉じられた際などに、無線LANアクセスポイント109に車載端末から読み取られた個人タグID102を送信する。この場合、車載端末103から車両タグID103を送ってもよいし、車両タグ102から車両タグID103を送ってもよい。
【００３０】
図2は、車載端末とリーダによるタグ読み取り方法を示したものである。
運転手・乗員201がバス等104に搭乗する際に、運転手は車両タグ102を、乗員は個人タグ101を車載端末113に接続されたリーダ103にかざし、各タグに記録された個人タグIDや車両タグIDを読み取る。読み取られた車両タグIDや個人タグIDは、車載端末113に蓄積される。なお、上述したように車両タグIDは予め車載端末113に格納しておいても構わない。
【００３１】
図3は、ゲートのリーダ・アンテナによる車両タグ読み取り方法について示したものである。
バス等の車両104がゲート付近を通過する時、車両104内（フロントガラス裏やダッシュボード上など）に置いた車両タグ102がゲートのアンテナ105・リーダ106により読み取られる。読み取った車両タグIDや読み取り時刻がリーダ制御端末107に蓄積される。
【００３２】
図4は、本システム全体における処理シーケンス図を示したものである。
タグ発行端末110により、個人タグ101や車両タグ102の電子タグを発行する。これは、各タグにタグIDを書き込むことで実現可能である。
【００３３】
発行された個人タグ101の個人タグIDや個人情報、車両タグID102の車両タグIDや車両情報は、管理サーバ111に送信され、蓄積される。
【００３４】
運転手および乗員が車両に搭乗する際、車載端末113のリーダ103により、車両タグIDおよび個人タグIDが読み取られる。このうち、車両タグIDの読み取りは省略も可能である。読み取られた車両タグIDおよび個人タグIDは、リーダ103から車載端末113に送信され、蓄積される。また、退門時は、車載端末113に蓄積された車両タグIDおよび個人タグIDもしくは車載端末113に蓄積された個人タグIDおよび車両タグに格納されている車両タグIDを、アンテナを介して管理サーバ111へ送信するようにしてもよい。これは、車載端末113がバスのドアが閉じたことを検知したことを条件に実行してもよいし、運転手の入力に応じて車載端末113が制御してもよい。
【００３５】
次に、車両が入門・退門のゲート付近を通過する際、ゲートのアンテナ105・リーダ106により車両タグ102および車載端末113のうち少なくとも一方から車両タグIDが読み取られる（車両タグ102および車載端末113のうち少なくとも一方から車両タグIDを送信する構成でもよい）。
【００３６】
読み取られた車両タグIDは、リーダ制御端末107に読み取り時刻とともに蓄積され、管理サーバ111へ送信される。
【００３７】
そして、車両が構内（入門時）または構外（退門時）の無線LAN通信エリアに到達した際、車載端末113から、蓄積していた車両タグIDと個人タグIDが管理サーバ111へ送信される。この送信は、運転手の操作により車載端末113が送信してもよいし、無線LANエリアのアンテナが車載端末113に要求を送信し、これを受信した車載端末113が送信するようにしてもよい。
【００３８】
管理サーバ111では、リーダ制御端末107から送られた車両タグIDと車載端末113から送られた車両タグIDの突き合せを行い、個人タグIDと車両通過時刻（車両タグIDがリーダ制御端末107に読み取られた時刻）の紐付けを行う。また、車載端末113からの情報が、どの無線LAN通信エリアを経由して来たかにより、入門・退門のフラグを管理サーバ111内で設定し、入門・退門の区別も合わせて管理する。つまり、管理サーバ111では、無線LAN通信エリアごとに、構外か構内かの区別を記録しておき、これに基づき「構外」に対応した無線LAN通信エリアを経由した情報である場合、当該個人タグIDの利用者が「退場」と判断して、この個人タグIDと退場と示す情報を対応付けて格納する。「構内」であれば、「入場」と判断して、個人タグIDに入場済であることを示す情報を対応付けて格納する。なお、管理サーバ111では、無線LANエリアごとに、「入場」「退場」を区別する情報を記録しておき、これを用いてもよい。
【００３９】
また、別の方法として、構内、もしくは、構外の一方にのみ無線LANエリアが設定されていても対応可能な方法を説明する。
【００４０】
ここでは、構内に設置された無線LANエリアを利用しての方法で説明する。車載端末113に情報を格納する点およびゲートを通過した場合の処理については、上述と同様である。また、構内に到着した際、車載端末113から個人タグID等を送信することも同様であるが、ここで管理サーバ111においてこれらの受信時刻を記録できるようにする。例えば、管理サーバ111の受信自体の時刻でもよいし、アンテナやリーダの受信時刻、もしくは車載端末113が送信時刻をあわせて送信しこれを用いてもよい。これを受け、管理サーバ111では、この受信時刻と上述の車両通過時刻を比較する。この結果、車両通過時刻が早いので、「入場」と判断し、上述のように管理をする。逆に、退場の場合、バスの出発時や乗車締め切り時（運転手の操作により車載端末113が検知することやドアの閉まったことを車載端末113が検知してなどして実現が可能）に、個人タグID等を車載端末113が送信するため、車両通過時刻の方が遅くなる。この場合は、「退場」として管理サーバ111が登録する。
【００４１】
なお、構外の無線LANエリアを利用する場合は、これと逆に判断することで対応が可能である。
【００４２】
管理サーバ111では、入退門状況参照端末108の要求に応じて、入門時刻や退門時刻、個人タグID、利用者名、会社名等の入退門情報を提供し、入退門状況参照端末108にて入退門情報を表示する。
【００４３】
図5は、本システム全体フローの概要を示したものである。
タグ発行端末により電子タグを発行する（501）。
運転手がバスに搭乗する際、車両タグIDを車載端末のリーダにて読み取る（502）。
乗員がバスに搭乗する際、個人タグIDを車載端末のリーダにて読み取る（503）。
車両がゲートを通過する際、車両タグIDをゲートのリーダ・アンテナにより読み取る（504）。
ゲートのリーダ・アンテナを制御するリーダ制御端末と、車両内の車載端末からそれぞれ車両タグID、個人タグID等の情報を送信する（505）。
管理サーバにて、入退門情報の紐付け、蓄積を行い、入退門状況参照端末の要求に応じて入退門情報の提供を行う（506）。
入退門状況参照端末では、入退門情報の表示を行う（507）
図6は、タグ発行端末における電子タグ発行処理フローを示す。
個人タグ発行の場合は、まず個人タグIDをタグに書き込む（601）。
次に、個人タグIDと個人情報の紐付けを行う。つまり、対応付けて記憶装置に記憶する（602）。
車両タグ発行の場合も同様に、まず車両タグIDをタグに書き込む（601）。
次に、車両タグIDと車両情報の紐付けを行う。つまり、対応付けて記憶装置に記憶する（602）。
【００４４】
図7は、車載端末とリーダによる車両タグID読み取り処理フローを示す。
運転手がバスに搭乗する際、車両タグを車載端末のリーダに近づけて車両タグIDを読み取る（701）。
読み取った車両タグIDは車載端末に蓄積される（702）。
【００４５】
図8は、車載端末とリーダによる個人タグID読み取り処理フローを示す。
利用者がバスに搭乗する際、個人タグを車載端末のリーダに近づけて個人タグIDを読み取る（801）。
【００４６】
読み取った個人タグIDは車載端末に蓄積される（802）。
【００４７】
図9は、ゲート付近のリーダ制御端末とリーダ・アンテナによる車両タグID読み取り処理フローを示す。
【００４８】
車両がゲートを通過する際、車両内の車両タグIDを読み取る（901）。
【００４９】
車両タグIDと読み取り時刻（入門時刻または退門時刻）がリーダ制御端末に蓄積される（902）。
【００５０】
図10は、車載端末から無線LANアクセスポイントを経由して、管理サーバへ車両タグIDや個人タグIDを送信する処理フローを示す。
無線LAN通信エリアに車両が到達した際に、車載端末と無線LANアクセスポイントとの通信を確立する（1001）。
車両タグIDと個人タグIDを無線LAN経由で車載端末から管理サーバへ一括送信する（1002）。
【００５１】
図11は、管理サーバにおける入退門情報の蓄積と提供の処理フローを示す。
車両がゲートを通過する際、車両タグIDと読み取り時刻（入門時刻または退門時刻）をリーダ制御端末より受信する（1101）。
無線LAN通信エリアに車両が到達した際に、車両タグIDと個人タグIDを無線LAN経由で車載端末から受信する（1102）。
【００５２】
車両タグIDの読み取り時刻と、どの無線LAN経由で受信したかにより、個人タグIDと個人情報に入門時刻または退門時刻を紐付けて(対応付けて)蓄積する（1103）。
入退門状況参照端末からの要求に応じて入退門情報を送信する（1104）。
【００５３】
図12は、入退門状況参照端末における入退門状況参照処理フローを示す。
必要な入退門情報（入門時刻や退門時刻、個人タグID、利用者名、会社名等）を管理サーバに要求する要求情報を送信する（1201）。
要求情報に対応した入退門情報を管理サーバから受信する（1202）。
受信した入退門情報を表示する（1203）。
【００５４】
図13は、電子タグ内の格納情報例を示す。
個人タグには、個人タグID1301が、車両タグには、車両タグID1302がそれぞれ図13に示したように格納される。
【００５５】
図14は、タグ発行端末におけるタグ発行管理情報例を示す。
個人タグ発行情報1401として、発行時刻、個人タグID、従業員番号、利用者名、会社名などが管理される。すなわち、これらの情報が記憶装置に格納される。
【００５６】
車両タグ発行情報1402として、発行時刻、車両タグID、車両管理番号、車両ナンバー、車種などが管理(格納)される。
【００５７】
図15は、車載端末に蓄積される情報の例を示す。
車載端末蓄積情報1501として、車載端末の端末ID、車両タグもしくは個人タグの読み取り時刻である搭乗時刻、読み取ったタグのタグIDなどが管理(記憶装置に格納)される。
【００５８】
図16は、リーダ制御端末に蓄積される情報の例を示す。
リーダ制御端末蓄積情報1601として、リーダ制御端末の端末ID、車両タグの読み取り時刻である入退門時刻、読み取った車両タグのタグIDなどが管理(記憶装置に蓄積)される。
【００５９】
図17は、車載端末から送信される情報の例を示す。
車載端末送信情報1701として、車載端末の端末ID、情報を管理サーバへ送信した送信時刻、車両タグもしくは個人タグの読み取り時刻である搭乗時刻、読み取ったタグのタグIDなどが送信される。
【００６０】
図18は、管理サーバにおいて管理される入退門情報の例を示す。入門情報1801として、入門時刻、利用者のタグID、利用者名、会社名、入退場フラグなどが管理される。
退門情報1802として、退門時刻、利用者のタグID、利用者名、会社名、入退場フラグなどが管理（記憶装置に記憶）される。
【００６１】
図19は、入退門状況参照端末における入退門状況表示例を示す。入退門情報参照画面1901には、いつ、どこで誰が入門または退門したかが、図19に示すように表示される。
【００６２】
以上の実施の形態によれば、電子タグ等の無線認識技術を用いるため、読み取りの精度を確保できるよう、個々の導入場面において技術面や運用面の検討をする必要がある。特に、車両の移動速度や車両とリーダの距離、電子タグとリーダの向き、車両の素材、車両内のタグの置き場所等を考慮する必要がある。
【００６３】
通信距離の長いタグとリーダ、および通信距離の短いタグとリーダを組み合わせて使用するため、それぞれに適した周波数帯の機器選定が重要である。
【００６４】
本実施の形態では、人手によるのが主流であった車両内の乗員の入退門管理を自動化し、かつ、電子タグの読み取り精度の問題や入門・退門の区別を確実に行うという技術的な課題を解決している。
【００６５】
そのため、入門・退門の状況を効率的かつ正確に収集・蓄積することで、入退門管理者の管理工数の削減と管理精度の向上を図ることができる。
【図面の簡単な説明】
【００６６】
【図１】本発明の一実施の形態である車両入退門管理システムの全体システム概要図である。
【図２】車載端末とリーダによるタグ読み取り方法の概略図である。
【図３】入退門ゲートのリーダ・アンテナによる車両タグ読み取り方法の概略図である。
【図４】処理シーケンス図である。
【図５】全体フロー図である。
【図６】電子タグ発行処理フロー（タグ発行端末）
【図７】車両タグID読み取り処理フロー（車載端末・リーダ）
【図８】個人タグID読み取り処理フロー（車載端末・リーダ）
【図９】車両タグID読み取り処理フロー（ゲート付近のリーダ制御端末・リーダ・アンテナ）
【図１０】車両タグID、個人タグID送信処理フロー（車載端末・無線LANアクセスポイント）
【図１１】入退門情報蓄積・提供処理フロー（管理サーバ）
【図１２】入退門状況参照処理フロー（入退門状況参照端末）
【図１３】電子タグ格納情報例
【図１４】タグ発行管理情報例
【図１５】車載端末蓄積情報例
【図１６】リーダ制御端末蓄積情報例
【図１７】車載端末送信情報例
【図１８】入退門情報例
【図１９】入退門状況参照例
【符号の説明】
【００６７】
101  個人向けの電子タグ（個人タグ）
102  車両向けの電子タグ（車両タグ）
103  車載端末のリーダ
104  バス
105  入退門ゲートに設置されているアンテナ
106  入退門ゲートに設置されているリーダ
107  リーダ制御端末
108  入退門状況参照端末
109  無線LANアクセスポイント
110  タグ発行端末
111  管理サーバ
112  ネットワーク
113  車載端末
201  運転手・利用者
501  電子タグ発行
502  電子タグID読み取り（運転手がバスに乗る時）
503  個人タグID読み取り（利用者がバスに乗る時）
504  車両タグID読み取り（車両がゲートを通過する時）
505  車両タグID、個人タグID送信
506  入退門情報蓄積・提供
507  入退門状況参照
601  個人タグID書き込み（車両タグID書き込み）
602  個人タグIDと個人情報の紐付け（車両タグIDと車両情報の紐付け）
701  車両タグID読み取り（運転手がバスに乗る時）
702  車両タグIDを車載端末に蓄積
801  個人タグID読み取り（利用者がバスに乗る時）
802  個人タグIDを車載端末に蓄積
901  車両タグID読み取り（車両がゲートを通過する時）
902  車両タグIDと読み取り時刻をリーダ制御端末が受信
1001  車両タグIDと個人タグIDを管理サーバへ一括送信（駐車場等の無線LANエリア内にて）
1101  車両タグIDと読み取り時刻を受信（車両がゲートを通過する時）
1102  車両タグIDと個人タグIDを受信（車両が駐車場等の無線LANエリアで停止した後）
1103  個人タグIDと個人情報、車両タグIDの読み取り時刻を紐付けて入退門情報を蓄積
1104  入退門状況参照端末からの要求に応じて入退門情報を送信
1201  要な入退門情報を管理サーバに要求
1202  要求した入退門情報を受信
1203  入退門情報を表示
1301  個人タグID格納情報例
1302  車両タグID格納情報例
1401  個人タグ発行情報例
1402  車両タグ発行情報例
1501  車載端末蓄積情報例
1601  リーダ制御端末入退門情報例
1701  車載端末送信情報例
1801  入門情報例
1802  退門情報例
1901  入退門状況参照画面例
【図１】
0005188264.tif 000002
【図２】
0005188264.tif 000003
【図３】
0005188264.tif 000004
【図４】
0005188264.tif 000005
【図５】
0005188264.tif 000006
【図６】
0005188264.tif 000007
【図７】
0005188264.tif 000008
【図８】
0005188264.tif 000009
【図９】
0005188264.tif 000010
【図１０】
0005188264.tif 000011
【図１１】
0005188264.tif 000012
【図１２】
0005188264.tif 000013
【図１３】
0005188264.tif 000014
【図１４】
0005188264.tif 000015
【図１５】
0005188264.tif 000016
【図１６】
0005188264.tif 000017
【図１７】
0005188264.tif 000018
【図１８】
0005188264.tif 000019
【図１９】
0005188264.tif 000020